(57)【要約】 【課題】  中小規模の事業所等が頒布する情報誌として利用するのに適した印刷物を提供する。【解決手段】  印刷物の表紙１には、複数の頒布者に共通の内容が印刷されるタイトル印刷部１１と表紙デザイン印刷部１２が設けられる。頒布者名称印刷部１３には、頒布者毎に印刷物の頒布者の名称が印刷される。顧客コード印刷部１４には、印刷物を発行する事業者に印刷物の印刷を委託した顧客を識別する顧客コードが印刷される。裏表紙２には、印刷物を送付するあて先を印刷又は貼付するあて先表示部２２が設けられる。タイトル・発行所印刷部２１には、複数の頒布者に共通のタイトルと発行所が、はがき印刷部２３にはアンケート回答はがきのあて先とキリトリ線が、顧客コード印刷部２４には、印刷物を発行する事業者に印刷物の印刷を委託した顧客を識別する顧客コードが印刷される。【選択図】        図３
0003141446.tif 000002
【実用新案登録請求の範囲】
【請求項１】
２以上の用紙を綴じ合わせてなる印刷物であって、
表紙には、前記印刷物のタイトル及び表紙デザインを印刷する表紙印刷部と、前記表紙印刷部と区分された前記印刷物の頒布者の名称を印刷する頒布者名称印刷部が設けられ、
裏表紙には、前記印刷物を送付するあて先を印刷又は貼付するあて先表示部が設けられていて、
前記表紙印刷部と表紙裏面の次ページから裏表紙裏面の前ページまでには複数の頒布者に共通の表示内容が印刷され、かつ、前記頒布者印刷部には各々の頒布者の名称が印刷されること
を特徴とする印刷物。
【請求項２】
表紙の裏面には、頒布者毎に制作した個別情報を印刷する頒布者個別情報印刷部が設けられていること
を特徴とする請求項１記載の印刷物。
【請求項３】
表紙及び裏表紙は１枚の用紙を中央線で折り畳むことによって形成され、前記中央線に沿って全ての用紙が綴じ合わされていること
を特徴とする請求項１又は２記載の印刷物。
【請求項４】
表紙又は裏表紙の少なくとも一部に、前記印刷物を発行する事業者に前記印刷物の印刷を委託した顧客を識別する顧客コードを印刷する顧客コード印刷部が設けられていること
を特徴とする請求項１乃至３いずれかに記載の印刷物。
【請求項５】
裏表紙には、アンケート回答はがきのあて先と裏表紙から切り離すためのキリトリ線を含むはがき印刷部が設けられ、
裏表紙の裏面には、アンケートの内容を印刷するアンケート内容印刷部と、前記はがき印刷部の裏面にあたる部分にアンケート回答欄を含むアンケート回答用紙を印刷する回答用紙印刷部が設けられていること
を特徴とする請求項１乃至４いずれかに記載の印刷物。
【考案の詳細な説明】
【技術分野】
【０００１】
本考案は、中小の事業所等が頒布する情報誌として利用するのに適した印刷物に関するものである。
【背景技術】
【０００２】
会計事務所や法律事務所などでは、顧客への情報提供サービスとして、顧客に関心の高いテーマに関する解説記事や専門家へのインタビュー記事、最新の制度改正に関するニュースなどを盛り込んだ情報誌を発行することがある。事業所の規模が比較的大きい場合であれば、情報誌の作成に要するコストに見合った効果を期待することができるが、中小規模の事業所にとっては効果に比してコストの負担が重くなることが課題となりやすい。このような事業所を対象にして、情報誌の内容を共通にすることで発行コストを削減し、頒布者の名称部分に各々の事業所名を表示するサービスが提供されるようになっている。
【０００３】
上記のような情報誌を作成する場合は、表紙等の目立ちやすい部分に各々の事業所名を表示することが好ましい。複数ページからなる印刷物の表紙の一部に異なる頒布者等を表示する印刷物として、宣伝用印刷物を対象に第１ページ（表紙）に代理店等の連絡先を表示する表示スペースを設ける考案が開示されている（特許文献１参照）。
【０００４】
【特許文献１】実用新案登録第３１０３９３６号公報
【考案の開示】
【考案が解決しようとする課題】
【０００５】
特許文献１の考案によると、複数ページの印刷物のうち、最も顧客に見られる可能性の高い表紙に代理店等の連絡先が表示されるため、代理店等は効果的に顧客を誘引することができる。上記の情報誌にこの考案を適用して、表紙のいずれかの部分に各々の事業所名を印刷することとすれば、顧客に対して事業所名を周知することができる。しかしながら、事業所の発行する情報誌は、商品等を販売することを目的とする宣伝用印刷物とは異なって、既存顧客を対象にして顧客満足度の向上を図ることを主な目的とするものであることが多いため、特許文献１の考案を適用するだけではその目的を充足することができない。
【０００６】
例えば、情報誌は宣伝用印刷物と異なり即時性を要求されるものであることが多く、顧客に会う機会を見計らって頒布すればよいという性質のものではなく、発行日になると速やかに郵送等で一斉に頒布されることが多い。そのためには、情報誌を印刷する際には、送付する顧客のあて先も効率的に記載できるものであることが好ましい。また、情報誌の内容は基本的に共通であるとしても、事業所毎に個別に提供したい情報を記載できるスペースが設けられていることが好ましい。
【０００７】
また、印刷処理における効率性を考慮すると、事業所毎に個別に印刷する部分は、できるだけまとめて印刷を行える構造であることが求められる。また、複数の事業所からの委託を請け負って情報誌を印刷して発行する事業者にとっては、印刷された情報誌を委託された顧客毎に効率的に仕分けられるものであることが好ましい。
【０００８】
その他にも、顧客サービスの向上を図るための情報誌であることを考えると、情報誌には顧客サービスの向上に貢献できる仕組みをできるだけ取り込んでおくことが望ましい。例えば、情報誌を提供する機会を捉えて顧客ニーズを収集できるように、汎用性のある内容のアンケートを行うことなどが考えられる。
【０００９】
本考案は、このような課題を解決するためになされたものであり、会計事務所や法律事務所などを対象に、中小規模の事業所等が頒布する情報誌として利用するのに適した印刷物を提供することを目的とするものである。
【課題を解決するための手段】
【００１０】
このような課題を解決するために、本考案にかかる印刷物は、２以上の用紙を綴じ合わせてなる印刷物であって、表紙には、前記印刷物のタイトル及び表紙デザインを印刷する表紙印刷部と、前記表紙印刷部と区分された前記印刷物の頒布者の名称を印刷する頒布者名称印刷部が設けられ、裏表紙には、前記印刷物を送付するあて先を印刷又は貼付するあて先表示部が設けられていて、前記表紙印刷部と表紙裏面の次ページから裏表紙裏面の前ページまでには複数の頒布者に共通の表示内容が印刷され、かつ、前記頒布者印刷部には各々の頒布者の名称が印刷されることを特徴とする。
【００１１】
このような特徴を備えた本発明によると、顧客が印刷物を頒布するあて先を同時に印刷したり、シール等に印刷したあて先を所定のスペースに貼付したりすることによって、そのまま印刷物を発送することが可能になるので、発行した印刷物を速やかに郵送等で一斉に頒布することが可能になる。
【００１２】
また、本考案は、表紙の裏面には、頒布者毎に制作した個別情報を印刷する頒布者個別情報印刷部が設けられていることを特徴とすることもできる。
【００１３】
このように構成すると、印刷物の内容を基本的に共通にしながら、事業所等の頒布者毎に個別に提供したい情報を記載できるスペースが表紙裏面に設けられるので、表紙（及び裏表紙）となる用紙のみを頒布者毎に印刷すれば、頒布者毎の個別の情報をあわせて提供することが可能になる。
【００１４】
さらに、本考案は、表紙及び裏表紙は１枚の用紙を中央線で折り畳むことによって形成され、前記中央線に沿って全ての用紙が綴じ合わされていることを特徴とすることもできる。
【００１５】
このように構成すると、１枚の用紙によって個別の印刷が必要になる表紙及び裏表紙が形成されるので、個別印刷が必要になる用紙を１枚に制限することができるので、印刷処理を効率化することが可能になる。
【００１６】
さらに、本考案は、表紙又は裏表紙の少なくとも一部に、前記印刷物を発行する事業者に前記印刷物の印刷を委託した顧客を識別する顧客コードを印刷する顧客コード印刷部が設けられていることを特徴とすることもできる。
【００１７】
本発明にかかる印刷物を印刷して発行する事業者は、複数の頒布者から印刷の依頼を受けることとなり、表紙等の印刷内容は頒布者単位で異なることになるが、該事業者に対する依頼者は必ずしも頒布者と同一になるとは限らない。例えば、複数の事業所をもつ事業者が事業所毎の名称を頒布者名とする印刷物を依頼するケースも想定されるが、印刷物を上記のように構成することにより、表紙や裏表紙に印刷された顧客コードをキーにして、委託を受けた顧客毎に効率的に印刷物を仕分けることが可能になる。
【００１８】
さらに、本考案は、裏表紙には、アンケート回答はがきのあて先と裏表紙から切り離すためのキリトリ線を含むはがき印刷部が設けられ、裏表紙の裏面には、アンケートの内容を印刷するアンケート内容印刷部と、前記はがき印刷部の裏面にあたる部分にアンケート回答欄を含むアンケート回答用紙を印刷する回答用紙印刷部が設けられていることを特徴とすることもできる。
【００１９】
このように構成すると、印刷物による情報提供によって顧客サービスの向上を図ることとあわせて、印刷物を受け取った顧客に対するアンケートによって顧客ニーズを収集する機会を得ることもできる。
【考案の効果】
【００２０】
本考案によって、中小規模の会計事務所や法律事務所などによる情報誌の頒布が行いやすくなり、これらの事業所における顧客サービスの向上が期待できる。
【考案を実施するための最良の形態】
【００２１】
本考案の実施の形態について、図１〜図５を用いて以下に説明する。尚、以下に説明する実施形態は本考案にかかる印刷物の一例であって、本考案はかかる実施形態に限定されるものではない。本考案に特徴的な部分が明確になるように、図１〜図４では特徴的な印刷部を着色しているが、これらの印刷部の色彩は特に限定されるものではなく、地色や字模様を周囲の印刷部と共通にするものであってもよい。
【００２２】
図１は、本考案にかかる印刷物を表紙側から見た斜視図である。図２は、本考案にかかる印刷物を裏表紙側から見た斜視図である。図３は、本考案にかかる印刷物の表紙及び裏表紙の展開図である。図４は、本考案にかかる印刷物の表紙裏面及び裏表紙裏面の展開図である。図５は、本考案にかかる印刷物の印刷内容と印刷部の関係を示す図である。
【００２３】
本考案にかかる印刷物は、図１及び図２に示したように、２以上の用紙が綴じ合わされた情報誌等に用いられる印刷物である。表紙となる用紙の次にくる用紙（表紙裏面の次ページ）から裏表紙となる用紙の前にくる用紙（裏表紙裏面の前ページ）までの情報誌の本文となる部分には、複数の頒布者に対して共通の表示内容が印刷されるが、表紙となる用紙には頒布者毎に個別の印刷部が設けられる。裏表紙にも、個別の印刷部が設けられる場合がある。
【００２４】
表紙は、図１に示したように構成される。表紙１には、複数の頒布者に対して共通のタイトルを印刷するタイトル印刷部１１と、複数の頒布者に対して共通の表紙デザインを印刷する表紙デザイン印刷部１２が設けられる。これらの印刷部には、写真や図案などの表紙デザインとタイトルの文字が一体化された画像が印刷されるものであってもよい。
【００２５】
また、表紙１には、タイトル印刷部１１及び表紙デザイン印刷部１２と区分された、印刷物の頒布者の名称を印刷するための頒布者名称印刷部１３が設けられる。この部分には会計事務所や法律事務所など頒布者の名称のほかに、頒布者の住所、電話番号、電子メールアドレス、ホームページのＵＲＬ等を併記することとしてもよい。頒布者を目立ちやすくするために、タイトル印刷部１１及び表紙デザイン印刷部１２とは異なる地色や地模様を適用することとしてもよい。
【００２６】
さらに、表紙１には、印刷物を発行する事業者に印刷物の印刷を委託した顧客を識別する顧客コードを印刷する顧客コード印刷部１４を設けることとしてもよい。頒布者名称印刷部１３には、頒布者毎に異なる名称が印刷されることになるが、一の顧客が複数の頒布者名の印刷を委託するケースもあるため、委託を受けた顧客毎に効率的に印刷物を仕分けるためには、表紙の一部に顧客を識別する顧客コードを印刷しておくことが好ましい。かかる目的で印刷される顧客コードは、位置的には紙面の端など仕分けの際にわかりやすい位置に、文字の大きさは表紙デザインの美感を損なわないようできるだけ小さな文字で印刷されることが好ましい。
【００２７】
裏表紙は、図２に示したように構成される。裏表紙２には、印刷物を送付するあて先を印刷又は貼付するあて先表示部２２が設けられる。あて先表示部２２には、裏表紙の印刷時に顧客が頒布するあて先を同時に印刷してもよいし、シール等に印刷したあて先を添付するためのスペースを設けることとしてもよい。このあて先表示部２２は、送付用の封筒においてあて先を表示できるように透明となっている部分に対応する位置に設けられる。
【００２８】
また、裏表紙２には、複数の頒布者に対して共通のタイトルと発行所（印刷物を発行する事業者の名称）を印刷するタイトル・発行所印刷部２１が設けられる。タイトル・発行所印刷部２１の位置は特に限定されるものではないが、情報誌等としての体裁を整えるには、市販されている雑誌等と同様に用紙を綴じ合わせた背面に沿って印刷する位置に設けることが好ましい。
【００２９】
さらに、裏表紙２には、アンケート回答用のはがきとして切り離して使用することができるはがき印刷部２３を設けることとしてもよい。はがき印刷部２３には、アンケート回答はがきのあて先と裏表紙から切り離すためのキリトリ線が印刷される。アンケート回答はがきのあて先には、各々の頒布者の住所や名称を印刷することとしてもよいが、印刷物を発行する事業者がアンケートの回収と集計の作業を代行する場合には、該事業者の住所や名称を印刷する。
【００３０】
さらに、裏表紙２には、表表紙１で説明したのと同様に、印刷物を発行する事業者に印刷物の印刷を委託した顧客を識別する顧客コードを印刷する顧客コード印刷部２４を設けることとしてもよい。顧客コード印刷部２４は、紙面の端など仕分けの際にわかりやすい位置に、裏表紙デザインの美感を損なわないようできるだけ小さな文字で印刷されることが好ましいことも、表紙の場合と同様である。
【００３１】
図３は、本考案にかかる印刷物を、１枚の用紙を中央線で折り畳み、該中央線に沿って全ての用紙を綴じ合わせることによって構成することとした場合に、表紙及び裏表紙となる用紙を展開した図を示している。表紙１及び裏表紙２の構成は、図１及び図２で説明したとおりであるが、用紙の中央線に沿って、ホッチキス止め等によって全ての用紙を綴じ合わせるための綴合部５０が設けられている。尚、綴じ合わせの方法は図３のように２ヶ所をホッチキス止めする方法に限られるものではなく、ホッチキス止めの数を増減させてもよいし、ホッチキスを用いずに糸で綴じる方法など、その他の一般的な製本技術を用いることができる。
【００３２】
図４は、本考案にかかる印刷物を、１枚の用紙を中央線で折り畳み、該中央線に沿って全ての用紙を綴じ合わせることによって構成することとした場合に、表紙裏面及び裏表紙裏面となる用紙を展開した図を示している。表紙裏面３には頒布者個別情報印刷部３１を設けて、頒布者が個別に制作したオリジナル情報を印刷することができる。頒布者個別情報印刷部３１は裏表紙裏面４に設けることとしてもよいが、表紙１又は裏表紙２の裏面に設けることによって、頒布者等に個別の情報を印刷する用紙を１枚に制限して、印刷処理の効率を高めることが可能になる。
【００３３】
裏表紙裏面４には、アンケートの内容を印刷するアンケート内容印刷部４１と、はがき印刷部２３の裏面にあたる部分にアンケート回答欄を含むアンケート回答用紙を印刷する回答用紙印刷部４２を設けることができる。アンケート内容は、印刷物を発行する事業者が制作した複数の頒布者に対して共通のものであってもよいし、各々の頒布者が制作したものであってもよいが、頒布者の負担軽減という目的を考慮すると、前者であることが好ましい。アンケート項目やアンケート方式（選択式か記述式か等）、アンケート回答者に対する景品の有無等は特に限定されるものではない。
【００３４】
図５は、本考案にかかる印刷物（情報誌）の印刷内容と印刷部の関係を示している。情報誌の印刷を委託する頒布者等の顧客は、頒布者が個別に制作したオリジナル情報と、情報誌の送付先リストを、情報誌の自動印刷を制御する情報誌印刷システムに登録する。情報誌を発行してその印刷の委託を受ける事業者は、顧客毎の顧客マスタ、頒布者毎の頒布者マスタ、情報誌の表紙や本文などのコンテンツを、情報誌印刷システムに登録する。
【００３５】
頒布者毎に異なる頒布者が個別に制作したオリジナル情報は、頒布者毎にそれぞれ頒布者個別情報印刷部３１に出力される。情報誌の送付先リストは、送付先毎にそれぞれあて先表示部２２に出力されるか、あるいはあて先表示部２２に貼付するあて先シールの形状で出力される。
【００３６】
各々の顧客について顧客マスタに登録された顧客コードは、顧客毎にそれぞれ顧客コード印刷部１４又は顧客コード印刷部２４（双方でもよい）に出力される。各々の頒布者について頒布者マスタに登録された頒布者の名称や住所等は、頒布者毎にそれぞれ頒布者名称印刷部１３に出力される。
【００３７】
情報誌の表紙や本文などのコンテンツは、異なる頒布者にも共通のものとして、情報誌を発行する事業者によって制作されて、それぞれタイトル印刷部や表紙デザイン印刷部１２、表紙となる用紙の次にくる用紙（表紙裏面の次ページ）から裏表紙となる用紙の前にくる用紙（裏表紙裏面の前ページ）までにある情報誌の本文となる部分に印刷される。
【図面の簡単な説明】
【００３８】
【図１】本考案にかかる印刷物を表紙側から見た斜視図である。
【図２】本考案にかかる印刷物を裏表紙側から見た斜視図である。
【図３】本考案にかかる印刷物の表紙及び裏表紙の展開図である。
【図４】本考案にかかる印刷物の表紙裏面及び裏表紙裏面の展開図である。
【図５】本考案にかかる印刷物の印刷内容と印刷部の関係を示す図である。
【符号の説明】
【００３９】
１    表紙
１１  タイトル印刷部
１２  表紙デザイン印刷部
１３  頒布者名称印刷部
１４  顧客コード印刷部
２    裏表紙
２１  タイトル・発行所印刷部
２２  あて先表示部
２３  はがき印刷部
２４  顧客コード印刷部
３    表紙裏面
３１  頒布者個別情報印刷部
４    裏表紙裏面
４１  アンケート内容印刷部
４２  回答用紙印刷部
５０  綴合部
【図１】
0003141446.tif 000003
【図２】
0003141446.tif 000004
【図３】
0003141446.tif 000005
【図４】
0003141446.tif 000006
【図５】
0003141446.tif 000007
【手続補正書】
【提出日】平成20年1月29日(2008.1.29)
【手続補正１】
【補正対象書類名】図面
【補正対象項目名】図２
【補正方法】変更
【補正の内容】
【図２】
0003141446.tif 000008
【手続補正２】
【補正対象書類名】図面
【補正対象項目名】図３
【補正方法】変更
【補正の内容】
【図３】
0003141446.tif 000009
【手続補正３】
【補正対象書類名】図面
【補正対象項目名】図５
【補正方法】変更
【補正の内容】
【図５】
0003141446.tif 000010